(57)【要約】【課題】光ディスク処理装置において、光ディスクが装着されたときに行う初期準備動作における光ピックアップユニットの移動回数を少なくする。【解決手段】光ディスク処理装置は、初期準備動作において、まず、光の照射位置が内周制御情報記録領域になるように光ピックアップユニットを移動させて、第１の内周物理調整値決定動作を実行すると共に（＃１）、内周制御情報読取動作を実行する（＃２）。続いて、光の照射位置が外周制御情報記録領域になるように光ピックアップユニットを移動させて、外周制御情報読取動作を実行すると共に（＃３）、外周物理調整値決定動作を実行する（＃４）。続いて、光の照射位置が内周制御情報記録領域になるように光ピックアップユニットを移動させて、第２の内周物理調整値決定動作を実行すると共に（＃５）、第３の内周物理調整値決定動作を実行する（＃６）。【選択図】図２
2012243366.tif 000002
【特許請求の範囲】
【請求項１】
光ディスクが装着され、装着された光ディスクを回転させるスピンドルモータと、
光ディスクに光を照射すると共に光ディスクからの反射光を受光して、その受光強度に対応する受光信号を出力する、移動することにより光ディスクへの光の照射位置が変化する光ピックアップユニットと、
前記スピンドルモータに光ディスクが装着されたときに行う初期準備動作の実行を制御する制御手段とを備え、
前記初期準備動作は、
前記光ピックアップユニットにより光ディスクの内周側に存在する内周制御情報記録領域に光を照射すると共にその反射光を受光し、そのときに前記光ピックアップユニットから出力される受光信号に基いて、前記内周制御情報記録領域に記録されている制御情報を読取る内周制御情報読取動作と、
前記光ピックアップユニットにより光ディスクの外周側に存在する外周制御情報記録領域に光を照射すると共にその反射光を受光し、そのときに前記光ピックアップユニットから出力される受光信号に基いて、前記外周制御情報記録領域に記録されている制御情報を読取る外周制御情報読取動作と、
前記光ピックアップユニットにより前記内周制御情報記録領域に光を照射すると共にその反射光を受光し、そのときに前記光ピックアップユニットから出力される受光信号に基いて、光ディスクに記録されている情報を読取るときの調整値を決定する第１の内周物理調整値決定動作と、
光ディスクの前記内周制御情報記録領域と前記外周制御情報記録領域の間に存在するユーザ記録領域にユーザ記録情報が記録されている場合に行う動作であって、前記光ピックアップユニットにより前記ユーザ記録領域の内周側の領域に光を照射すると共にその反射光を受光し、そのときに前記光ピックアップユニットから出力される受光信号に基いて、光ディスクに記録されている情報を読取るときの調整値を決定する第２の内周物理調整値決定動作と、
光ディスクが多層ディスクである場合に行う動作であって、前記光ピックアップユニットにより光ディスクの２層目の記録領域の内周側の領域に光を照射すると共にその反射光を受光し、そのときに前記光ピックアップユニットから出力される受光信号に基いて、光ディスクに記録されている情報を読取るときの調整値を決定する第３の内周物理調整値決定動作と、
前記光ピックアップユニットにより前記外周制御情報記録領域に光を照射すると共にその反射光を受光し、そのときに前記光ピックアップユニットから出力される受光信号に基いて、光ディスクに記録されている情報を読取るときの調整値を決定する外周物理調整値決定動作とを含む光ディスク処理装置において、
前記制御手段は、
前記初期準備動作において、前記第１の内周物理調整値決定動作、前記内周制御情報読取動作、前記外周制御情報読取動作、前記外周物理調整値決定動作、前記第２の内周物理調整値決定動作、前記第３の内周物理調整値決定動作の順に実行する、ことを特徴とする光ディスク処理装置。
【請求項２】
光ディスクとして、ＢＤ−ＲＥを扱う、ことを特徴とする請求項１に記載の光ディスク処理装置。
【発明の詳細な説明】
【技術分野】
【０００１】
本発明は、光ディスクに記録されている情報を読取る光ディスク処理装置に関するものである。
【背景技術】
【０００２】
従来から、光ディスク処理装置において、光ディスクに情報を記録し、また、光ディスクに記録されている情報を読取るものがある。このような光ディスク処理装置は、スピンドルモータに装着された光ディスクを回転させながら、光ピックアップユニットにより光ディスクに光を照射させて、光ディスクに記録マーク及び記録スペースを形成することにより、光ディスクに情報を記録するようになっている。また、このような光ディスク処理装置は、スピンドルモータに装着された光ディスクを回転させながら、光ピックアップユニットにより光ディスクに光を照射させて、光ピックアップユニットから出力される受光信号に基いて、光ディスクに記録されている情報を読取るようになっている。
【０００３】
このような光ディスク処理装置では、光ディスクに記録されている制御情報を読取って、その制御情報に基いて、光ディスクにユーザ記録情報を記録し、また、光ディスクに記録されているユーザ記録情報を読取るようになっている。制御情報とは、光ディスクを個別に識別するディスクＩＤ情報や光ディスクの種類を示すディスク物理情報、ユーザ記録情報の記録されている領域を示す管理情報などである。ユーザ記録情報とは、ユーザが利用する映像や音声などの情報である。
【０００４】
一方、このような光ディスク処理装置では、光ディスクに記録されている情報を読取るときの調整値が適切でないと、光ディスクに記録されている情報の読取品質が劣悪なものとなる。光ディスクに記録されている情報を読取るときの調整値とは、光ピックアップユニットの対物レンズの傾き、光ピックアップユニットの収差調整用レンズの位置、光ピックアップユニットにより光ディスクに照射する光の集光点の位置を光ディスクの情報記録層上及び光ディスクの情報記録トラック上に保持するためのサーボループ系のゲイン等である。
【０００５】
光ディスクに記録されている情報を読取るときの調整値の適切な値は、光ディスク上の位置（内周側であるのか外周側であるのか、また、光ディスクが多層ディスクの場合には、何層目であるのかなど）によって異なり、また、光ディスクの個体ばらつきや経時変化などのために、光ディスクに記録されている情報を読取る毎に異なったものとなる。
【０００６】
そこで、このような光ディスク処理装置では、光ピックアップユニットにより光ディスクに光を照射すると共にその反射光を受光し、光ピックアップユニットから出力される受光信号の信号特性（変調度、ジッタ値、アシンメトリ等）に基いて、光ディスクに記録されている情報を読取るときの調整値を決定するようになっている。
【０００７】
これら光ディスクに記録されている制御情報の読取や、光ディスクに記録されている情報を読取るときの調整値の決定は、スピンドルモータに光ディスクが装着されたときに、初期準備動作として行うようになっている。
【０００８】
ところで、このような光ディスク処理装置において、光ディスクとして、例えばＢＤ−ＲＥを扱い、ＢＤ−ＲＥに対して情報の記録、読取を行うものがある。ＢＤ−ＲＥでは、内周側の所定の領域が内周制御情報記録領域として割当てられ、外周側の所定の領域が外周制御情報記録領域として割当てられ、内周制御情報記録領域と外周制御情報記録領域の間の領域がユーザ記録領域として割当てられている。内周制御情報記録領域には、制御情報として、光ディスクを個別に識別するディスクＩＤ情報及び光ディスクの種類を示すディスク物理情報が予め記録されている。ユーザ記録領域には、ユーザ記録情報が記録される。また、上記内周制御情報記録領域には、制御情報として、ユーザ記録情報の記録されている領域を示す管理情報がユーザ記録情報の記録に応じて記録される。外周制御情報記録領域には、内周制御情報記録領域に管理情報が記録しきれなくなったときに、制御情報として、ユーザ記録情報の記録されている領域を示す管理情報がユーザ記録情報の記録に応じて記録される。
【０００９】
従来の光ディスクとしてＢＤ−ＲＥを扱う光ディスク処理装置では、図３に示すようにして、初期準備動作を行っている。まず、第１の内周物理調整値決定動作を実行する（＃９１）。第１の内周物理調整値決定動作とは、光ピックアップユニットにより光ディスクの内周制御情報記録領域に光を照射すると共にその反射光を受光し、そのときに光ピックアップユニットから出力される受光信号の信号特性値に基いて、光ディスクに記録されている情報を読取るときの調整値を決定する動作である。すなわち、スピンドルモータに光ディスクが装着されると、光の照射位置が内周制御情報記録領域になるように光ピックアップユニットを移動させて、第１の内周物理調整値決定動作を実行する。
【００１０】
続いて、内周制御情報読取動作を実行する（＃９２）。内周制御情報読取動作とは、光ディスクの内周制御情報記録領域に記録されている制御情報を読取る動作である。すなわち、第１の内周物理調整値決定動作を実行した後、光ピックアップユニットによる光ディスクへの光の照射位置が内周制御情報記録領域になっている状態で、内周制御情報読取動作を実行する。
【００１１】
続いて、外周制御情報読取動作を実行する（＃９３）。外周制御情報読取動作とは、光ディスクの外周制御情報記録領域に記録されている制御情報を読取る動作である。すなわち、内周制御情報読取動作を実行した後、光の照射位置が外周制御情報記録領域になるように光ピックアップユニットを移動させて、外周制御情報読取動作を実行する。
【００１２】
続いて、第２の内周物理調整値決定動作を実行する（＃９４）。第２の内周物理調整値決定動作とは、光ディスクのユーザ記録領域にユーザ記録情報が記録されている場合に行う動作であって、光ピックアップユニットにより光ディスクのユーザ記録領域の内周側の領域に光を照射すると共にその反射光を受光し、そのときに光ピックアップユニットから出力される受光信号の信号特性値に基いて、光ディスクに記録されている情報を読取るときの調整値を決定する動作である。すなわち、外周制御情報読取動作を実行した後、光の照射位置がユーザ記録領域の内周側の領域になるように光ピックアップユニットを移動させて、第２の内周物理調整値決定動作を実行する。
【００１３】
続いて、外周物理調整値決定動作を実行する（＃９５）。外周物理調整値決定動作とは、光ピックアップユニットにより光ディスクの外周制御情報記録領域に光を照射すると共にその反射光を受光し、そのときに光ピックアップユニットから出力される受光信号の信号特性値に基いて、光ディスクに記録されている情報を読取るときの調整値を決定する動作である。すなわち、第２の内周物理調整値決定動作を実行した後、光の照射位置が外周制御情報記録領域になるように光ピックアップユニットを移動させて、外周物理調整値決定動作を実行する。
【００１４】
続いて、第３の内周物理調整値決定動作を実行する（＃９６）。第３の内周物理調整値決定動作とは、光ディスクが多層ディスクである場合に行う動作であって、光ピックアップユニットにより光ディスクの２層目の記録領域の内周側の領域に光を照射すると共にその反射光を受光し、そのときに光ピックアップユニットから出力される受光信号の信号特性値に基いて、光ディスクに記録されている情報を読取るときの調整値を決定する動作である。すなわち、外周物理調整値決定動作を実行した後、光の照射位置が２層目の記録領域の内周側の領域になるように光ピックアップユニットを移動させて、第３の内周物理調整値決定動作を実行する。
【００１５】
従来の光ディスクとしてＢＤ−ＲＥを扱う光ディスク処理装置では、このように初期準備動作を行うようになっている。このように初期準備動作を行うようになっているのは、光ディスク処理装置の開発の経緯において、最初に、第１の内周物理調整値決定動作、内周制御情報読取動作、外周制御情報読取動作を実行するものを開発し、その後、光ディスクに記録されている情報の読取品質の向上を図るために改良を加えて、第２の内周物理調整値決定動作、外周物理調整値決定動作、第３の内周物理調整値決定動作を順に付加していったためである。
【００１６】
一方、再生すべき複数のデータを前半グループ及び後半グループに分割し、ヘッドを一方方向へ移動させる間に前半グループにおける全てのデータを読出すと共に、ヘッドを反対方向へ移動させる間に後半グループにおける全てのデータを読出すように、前半グループ及び後半グループにおける各データの読出し順序を決定して、その順序でデータを再生するようにした再生装置が知られている（例えば特許文献１参照）。また、読み出し領域から読み出しを開始し、読み出し領域の終端を検出すると、光ピックアップを再び読み出し領域に移動させて、連続して同一領域での読み出しを開始するようにした光ディスク装置が知られている（例えば特許文献２参照）。また、第１記録層は、内周側から外周方向に情報を記録し、第２記録層は、外周側から内周方向に情報を記録するようにした情報記録再生装置が知られている（例えば特許文献３参照）。
【先行技術文献】
【特許文献】
【００１７】
【特許文献１】特許第４２４０３００号公報
【特許文献２】特開２００７−４８３６３号公報
【特許文献３】特許第４３４０７３２号公報
【発明の概要】
【発明が解決しようとする課題】
【００１８】
しかしながら、上述した従来の光ディスク処理装置では、光ディスクが装着されたときに行う初期準備動作における光ピックアップユニットの移動回数が多く、その結果、初期準備動作に要する時間が長くなる。なお、上述した特許文献１乃至特許文献３に開示の内容を適用したとしても、上記の問題を解決することはできない。
【００１９】
本発明は、上記課題を解決するためになされたものであり、光ディスクが装着されたときに行う初期準備動作における光ピックアップユニットの移動回数を少なくすることができる光ディスク処理装置を提供することを目的とする。
【課題を解決するための手段】
【００２０】
上記目的を達成するために請求項１の発明は、光ディスクが装着され、装着された光ディスクを回転させるスピンドルモータと、光ディスクに光を照射すると共に光ディスクからの反射光を受光して、その受光強度に対応する受光信号を出力する、移動することにより光ディスクへの光の照射位置が変化する光ピックアップユニットと、スピンドルモータに光ディスクが装着されたときに行う初期準備動作の実行を制御する制御手段とを備え、初期準備動作は、光ピックアップユニットにより光ディスクの内周側に存在する内周制御情報記録領域に光を照射すると共にその反射光を受光し、そのときに光ピックアップユニットから出力される受光信号に基いて、内周制御情報記録領域に記録されている制御情報を読取る内周制御情報読取動作と、光ピックアップユニットにより光ディスクの外周側に存在する外周制御情報記録領域に光を照射すると共にその反射光を受光し、そのときに光ピックアップユニットから出力される受光信号に基いて、外周制御情報記録領域に記録されている制御情報を読取る外周制御情報読取動作と、光ピックアップユニットにより内周制御情報記録領域に光を照射すると共にその反射光を受光し、そのときに光ピックアップユニットから出力される受光信号に基いて、光ディスクに記録されている情報を読取るときの調整値を決定する第１の内周物理調整値決定動作と、光ディスクの内周制御情報記録領域と外周制御情報記録領域の間に存在するユーザ記録領域にユーザ記録情報が記録されている場合に行う動作であって、光ピックアップユニットによりユーザ記録領域の内周側の領域に光を照射すると共にその反射光を受光し、そのときに光ピックアップユニットから出力される受光信号に基いて、光ディスクに記録されている情報を読取るときの調整値を決定する第２の内周物理調整値決定動作と、光ディスクが多層ディスクである場合に行う動作であって、光ピックアップユニットにより光ディスクの２層目の記録領域の内周側の領域に光を照射すると共にその反射光を受光し、そのときに光ピックアップユニットから出力される受光信号に基いて、光ディスクに記録されている情報を読取るときの調整値を決定する第３の内周物理調整値決定動作と、光ピックアップユニットにより外周制御情報記録領域に光を照射すると共にその反射光を受光し、そのときに光ピックアップユニットから出力される受光信号に基いて、光ディスクに記録されている情報を読取るときの調整値を決定する外周物理調整値決定動作とを含む光ディスク処理装置において、制御手段は、初期準備動作において、第１の内周物理調整値決定動作、内周制御情報読取動作、外周制御情報読取動作、外周物理調整値決定動作、第２の内周物理調整値決定動作、第３の内周物理調整値決定動作の順に実行するものである。
【００２１】
請求項２の発明は、請求項１に記載の光ディスク処理装置において、光ディスクとして、ＢＤ−ＲＥを扱うものである。
【発明の効果】
【００２２】
請求項１及び請求項２の発明によれば、初期準備動作において、外周制御情報読取動作に続いて外周物理調整値決定動作を実行し、第２の内周物理調整値決定動作に続いて第３の内周物理調整値決定動作を実行するため、上記従来のＢＤ−ＲＥを扱う光ディスク処理装置と比較して、初期準備動作における光ピックアップユニットの移動回数を少なくすることができる。これにより、初期準備動作に要する時間を短縮することができる。
【図面の簡単な説明】
【００２３】
【図１】本発明の一実施形態に係る光ディスク処理装置の概略構成を示す電気的ブロック構成図。
【図２】同光ディスク処理装置の初期準備動作を示すフローチャート。
【図３】従来の光ディスク処理装置の初期準備動作を示すフローチャート。
【発明を実施するための形態】
【００２４】
以下、本発明を具体化した実施形態による光ディスク処理装置について図面を参照して説明する。図１は、本実施形態による光ディスク処理装置の構成を示す。光ディスク処理装置１は、光ディスク２に情報を記録し、また、光ディスク２に記録されている情報を読取る装置である。この光ディスク処理装置１は、光ディスク２として、例えばＢＤ−ＲＥを扱い、ＢＤ−ＲＥに対して情報の記録、読取を行うようになっている。
【００２５】
光ディスク処理装置１は、ディスクセンサ１１と、スピンドルモータ１２と、光ピックアップユニット１３と、シークモータ１４と、信号処理部１５と、信号特性値測定部１６と、メモリ１７と、チューナ１８と、リモコン１９と、リモコン受信部２０と、光ディスク処理装置１の動作を制御する制御部２１等を備える。
【００２６】
光ディスク２は、ディスク挿入部（不図示）から挿入され、スピンドルモータ１２に装着される。ディスクセンサ１１は、ディスク挿入部から挿入された光ディスク２を検出して、ディスク挿入部から光ディスク２が挿入されたことを示すディスク検出信号を出力する。スピンドルモータ１２は、制御部２１による制御のもと回転駆動され、装着された光ディスク２を回転させる。
【００２７】
光ピックアップユニット１３は、光ディスク２に情報を記録し、また、光ディスク２に記録されている情報を読取るためのものである。光ピックアップユニット１３は、光ディスク２に光を照射すると共に光ディスク２からの反射光を受光して、その受光強度（光ディスク２からの反射光強度）に対応する受光信号を出力する。
【００２８】
光ピックアップユニット１３は、発光素子３１、投光レンズ３２、ビームスプリッタ３３、収差調整用レンズ３４、対物レンズ３５、受光レンズ３６、及び受光素子３７を有する。
【００２９】
発光素子３１は、制御部２１による制御のもと発光駆動され、光（情報を記録するための記録光、又は、情報を読取るための読取光）を出射する。発光素子３１から出射された光は、投光レンズ３２、ビームスプリッタ３３、収差調整用レンズ３４、及び対物レンズ３５を介して、光ディスク２上に照射される。光ディスク２により反射された光は、対物レンズ３５、収差調整用レンズ３４、ビームスプリッタ３３、及び受光レンズ３６を介して、受光素子３７に受光される。受光素子３７は、受光強度に応じた電圧レベルの受光信号を出力する。受光素子３７は、複数の受光領域を有しており、受光領域毎に、受光強度に応じた電圧レベルの受光信号を出力する。
【００３０】
すなわち、光ピックアップユニット１３は、発光素子３１から出射した光を光ディスク２に照射すると共に光ディスク２からの反射光を受光素子３７により受光して、その受光強度（光ディスク２からの反射光強度）に対応する受光信号を出力する。
【００３１】
シークモータ１４は、制御部２５による制御のもと駆動され、光ピックアップユニット１３を光ディスク２の半径方向に移動させる。光ピックアップユニット１３がディスク２の半径方向に移動することにより、光ピックアップユニット１３による光ディスク２への光の照射位置が光ディスク２の半径方向に変化する。
【００３２】
また、光ピックアップユニット１３は、フォーカシングアクチュエータ４１、トラッキングアクチュエータ４２、レンズ傾きアクチュエータ４３、及びレンズ位置アクチュエータ４４を有する。
【００３３】
フォーカシングアクチュエータ４１は、制御部２１による制御のもと駆動され、対物レンズ３５の位置を光ディスク２の情報記録層と垂直な方向に変化させる。トラッキングアクチュエータ４２は、制御部２１による制御のもと駆動され、対物レンズ３５の位置を光ディスク２の半径方向に変化させる。対物レンズ３５の位置が光ディスク２の情報記録層と垂直な方向に変化することにより、光ピックアップユニット１３により光ディスク２に照射する光（発光素子３１から出射されて対物レンズ３５により集光される光）の集光点の位置が光ディスク２の情報記録層と垂直な方向に変化する。また、対物レンズ３５の位置が光ディスク２の半径方向に変化することにより、光ピックアップユニット１３により光ディスク２に照射する光の集光点の位置が光ディスク２の半径方向に変化する。
【００３４】
レンズ傾きアクチュエータ４３は、制御部２１による制御のもと駆動され、対物レンズ３５の傾きを変化させる。レンズ位置アクチュエータ４４は、制御部２１による制御のもと駆動され、収差調整用レンズ３４の位置を変化させる。対物レンズ３５の傾きが変化することにより、光ピックアップユニット１３により光ディスク２に照射する光の収差が変化する。また、収差調整用レンズ３４の位置が変化することにより、光ピックアップユニット１３により光ディスク２に照射する光の収差が変化する。
【００３５】
信号処理部１５は、光ピックアップユニット１３から出力される受光信号から、情報読取信号を生成する。情報読取信号とは、光ディスク２の情報記録トラックに形成されている記録マーク及び記録スペースの配列に対応する信号であり、光ディスク２に記録されている情報を表わす信号である。
【００３６】
また、信号処理部１５は、光ピックアップユニット１３から出力される受光信号から、フォーカシングエラー信号、トラッキングエラー信号を生成する。フォーカシングエラー信号とは、光ピックアップユニット１３により光ディスク２に照射する光の集光点の、光ディスク２の情報記録層からの情報記録層と垂直な方向へのずれ量に対応する信号である。トラッキングエラー信号とは、光ピックアップユニット１３により光ディスク２に照射する光の集光点の、光ディスク２の情報記録トラックから半径方向へのずれ量に対応する信号である。
【００３７】
信号特性値測定部１６は、信号処理部１５により生成される情報読取信号の信号特性（変調度、ジッタ値、アシンメトリ等）を測定する。メモリ１７は、制御部２１による制御のもと、光ディスク処理装置１の動作に関わる各種情報を記憶する。
【００３８】
チューナ１８は、制御部２１による制御のもと、テレビジョン放送局から放送されるテレビジョン信号を受信し、そのテレビジョン信号から、テレビジョン信号に基く映像の映像信号、及びテレビジョン信号に基く音声の音声信号を生成する。
【００３９】
リモコン１９は、光ディスク処理装置１の各種動作を指示するためにユーザにより操作され、その操作内容を示す操作信号を送信する。リモコン受信部２０は、リモコン１９から送信される操作信号を受信して、リモコン１９の操作内容を示すリモコン受信信号を出力する。
【００４０】
制御部２１は、ディスクセンサ１１から出力されるディスク検出信号に基いて、スピンドルモータ１２に光ディスク２が装着されたことを検出する。また、制御部２１は、スピンドルモータ１２を回転駆動することにより、光ディスク２を回転させる。また、制御部２１は、光ピックアップユニット１３の発光素子３１を発光駆動することにより、光ピックアップユニット１３により光ディスク２に光を照射させる。また、制御部２１は、シークモータ１４を駆動することにより、光ピックアップユニット１３を移動させる。
【００４１】
また、制御部２１は、フォーカシングアクチュエータ４１を駆動することにより、対物レンズ３５の、光ディスク２の情報記録層と垂直な方向の位置を制御する。また、制御部２１は、トラッキングアクチュエータ４２を駆動することにより、対物レンズ３５の、光ディスク２の半径方向の位置を制御する。また、制御部２１は、レンズ傾きアクチュエータ４３を駆動することにより、対物レンズ３５の傾きを制御する。また、制御部２１は、レンズ位置アクチュエータ４４を駆動することにより、収差調整用レンズ３４の位置を制御する。また、制御部２１は、リモコン受信部２０から出力されるリモコン受信信号に基いて、ユーザによるリモコン１９の操作内容を判断する。
【００４２】
そして、制御部２１は、光ディスク２の回転、光ピックアップユニット１３の移動、及び光ピックアップユニット１３による光ディスク２への光の照射を制御することにより、光ディスク２に情報を記録し、また、光ディスク２に記録されている情報を読取る。すなわち、制御部２１は、光ディスク２を回転させながら、光ピックアップユニット１３により光ディスク２に光（情報を記録するための記録光）を照射させて、記録しようとする情報を表わす信号に対応する配列で光ディスク２に記録マーク及び記録スペースを形成することにより、光ディスク２に情報を記録する。また、制御部２１は、光ディスク２を回転させながら、光ピックアップユニット１３により光ディスク２に光（情報を読取るための読取光）を照射させ、そして、そのときに信号処理部１５により生成される情報読取信号を取得することにより（すなわち光ピックアップユニット１３から出力される受光信号に基いて）、光ディスク２に記録されている情報を読取る。
【００４３】
また、制御部２１は、光ディスク２に情報を記録するとき、及び光ディスク２に記録されている情報を読取るとき、フォーカシングサーボ、及びトラッキングサーボを行う。フォーカシングサーボとは、光ピックアップユニット１３により光ディスク２に照射する光の集光点の位置を光ディスク２の情報記録層上に保持する動作であり、トラッキングサーボとは、光ピックアップユニット１３により光ディスク２に照射する光の集光点の位置を光ディスク２の情報記録トラック上に保持する動作である。制御部２１は、信号処理部１５から出力されるフォーカシングエラー信号に基いて、フォーカシングエラー信号が０となるように、光ディスク２の情報記録層と垂直な方向における対物レンズ３５の位置を制御することにより、フォーカシングサーボを行う。また、制御部２１は、信号処理部１５から出力されるトラッキングエラー信号に基いて、トラッキングエラー信号が０となるように、光ディスク２の半径方向における対物レンズ３５の位置を制御することにより、トラッキングサーボを行う。
【００４４】
また、制御部２１は、初期準備動作を行う。初期準備動作とは、スピンドルモータ１２に光ディスク２が装着されたときに行う動作であり、光ディスク２に記録されている制御情報の読取や、光ディスク２に記録されている情報を読取るときの調整値の決定などを行う動作である。光ディスク２に記録されている制御情報とは、光ディスク２を個別に識別するディスクＩＤ情報や光ディスク２の種類を示すディスク物理情報、ユーザ記録情報の記録されている領域を示す管理情報などである。ユーザ記録情報とは、ユーザが利用する映像や音声などの情報である。光ディスク２に記録されている情報を読取るときの調整値とは、対物レンズ３５の傾き、収差調整用レンズ３４の位置、フォーカシングサーボ及びトラッキングサーボを行うためのサーボループ系（対物レンズ３５、受光素子３７、制御部２１、フォーカシングアクチュエータ４１及びトラッキングアクチュエータ４２から成るサーボループ系）のゲイン等である。
【００４５】
本発明の光ディスク処理装置１は、光ディスク２として、例えばＢＤ−ＲＥを扱い、ＢＤ−ＲＥに対して情報の記録、読取を行う。ＢＤ−ＲＥでは、内周側の所定の領域が内周制御情報記録領域として割当てられ、外周側の所定の領域が外周制御情報記録領域として割当てられ、内周制御情報記録領域と外周制御情報記録領域の間の領域がユーザ記録領域として割当てられている。内周制御情報記録領域は、制御情報として、光ディスク２を個別に識別するディスクＩＤ情報及び光ディスク２の種類を示すディスク物理情報が予め記録されている領域である。ユーザ記録領域は、ユーザが利用する映像や音声などのユーザ記録情報を記録するための領域である。また、上記内周制御情報記録領域は、制御情報として、ユーザ記録情報の記録されている領域を示す管理情報をユーザ記録情報の記録に応じて記録するための領域でもある。外周制御情報記録領域は、内周制御情報記録領域に管理情報が記録しきれなくなったときに、制御情報として、ユーザ記録情報の記録されている領域を示す管理情報をユーザ記録情報の記録に応じて記録するための領域である。
【００４６】
本発明の光ディスク処理装置１において制御部２１が行う初期準備動作は、内周制御情報読取動作と、外周制御情報読取動作と、第１の内周物理調整値決定動作と、第２の内周物理調整値決定動作と、第３の内周物理調整値決定動作と、外周物理調整値決定動作とを含んでいる。
【００４７】
内周制御情報読取動作とは、光ディスク２の内周制御情報記録領域に記録されている制御情報を読取る動作である。内周制御情報読取動作では、制御部２１は、光ピックアップユニット１３により光ディスク２の内周側に存在する内周制御情報記録領域に光を照射すると共にその反射光を受光し、そのときに光ピックアップユニット１３から出力される受光信号に基いて（そのときに信号処理部１５により生成される情報読取信号を取得することにより）、光ディスク２の内周制御情報記録領域に記録されている制御情報を読取る。
【００４８】
外周制御情報読取動作とは、光ディスク２の外周制御情報記録領域に記録されている制御情報を読取る動作である。外周制御情報読取動作では、制御部２１は、光ピックアップユニット１３により光ディスク２の外周側に存在する外周制御情報記録領域に光を照射すると共にその反射光を受光し、そのときに光ピックアップユニット１３から出力される受光信号に基いて（そのときに信号処理部１５により生成される情報読取信号を取得することにより）、光ディスク２の外周制御情報記録領域に記録されている制御情報を読取る。
【００４９】
第１の内周物理調整値決定動作とは、光ディスク２の内周制御情報記録領域に記録されている情報を読取るときの調整値を決定する動作である。第１の内周物理調整値決定動作では、制御部２１は、光ピックアップユニット１３により光ディスク２の内周制御情報記録領域に光を照射すると共にその反射光を受光し、そのときに光ピックアップユニット１３から出力される受光信号に基いて（そのときに信号特性値測定部１６により測定される信号特性値に基いて）、光ディスク２の内周制御情報記録領域に記録されている情報を読取るときの調整値を決定し、その調整値をメモリ１７に記憶する。
【００５０】
第２の内周物理調整値決定動作とは、光ディスク２のユーザ記録領域にユーザ記録情報が記録されている場合に行う動作であって、光ディスク２のユーザ記録領域の内周側に記録されている情報を読取るときの調整値を決定する動作である。第２の内周物理調整値決定動作では、制御部２１は、光ピックアップユニット１３により光ディスク２のユーザ記録領域の内周側の領域に光を照射すると共にその反射光を受光し、そのときに光ピックアップユニット１３から出力される受光信号に基いて（そのときに信号特性値測定部１６により測定される信号特性値に基いて）、光ディスク２のユーザ記録領域の内周側に記録されている情報を読取るときの調整値を決定し、その調整値をメモリ１７に記憶する。
【００５１】
第３の内周物理調整値決定動作とは、光ディスク２が多層ディスクである場合に行う動作であって、光ディスク２の２層目の内周側の記録領域に記録されている情報を読取るときの調整値を決定する動作である。第３の内周物理調整値決定動作では、制御部２１は、光ピックアップユニット１３により光ディスク２の２層目の記録領域の内周側の領域に光を照射すると共にその反射光を受光し、そのときに光ピックアップユニット１３から出力される受光信号に基いて（そのときに信号特性値測定部１６により測定される信号特性値に基いて）、光ディスク２の２層目の内周側の記録領域に記録されている情報を読取るときの調整値を決定し、その調整値をメモリ１７に記憶する。
【００５２】
外周物理調整値決定動作とは、光ディスク２のユーザ記録領域の外周側に記録されている情報を読取るときの調整値を決定する動作である。外周物理調整値決定動作では、光ピックアップユニット１３により光ディスク２の外周制御情報記録領域に光を照射すると共にその反射光を受光し、そのときに光ピックアップユニット１３から出力される受光信号に基いて（そのときに信号特性値測定部１６により測定される信号特性値に基いて）、光ディスク２のユーザ記録領域の外周側に記録されている情報を読取るときの調整値を決定し、その調整値をメモリ１７に記憶する。
【００５３】
また、制御部２１は、初期準備動作を行った後、ユーザによるリモコン１９の操作を受けて、チューナ１８により生成された映像信号に基く映像、及びチューナ１８により生成された音声信号に基く音声をユーザ記録情報として光ディスク２のユーザ記録領域に記録する。このとき、制御部２１は、初期準備動作において読取った管理情報に基いて、ユーザ記録情報をユーザ記録領域の空き領域に記録し、また、ユーザ記録情報を記録した領域を示す管理情報を光ディスク２の内周制御情報記録領域又は外周制御情報記録領域に記録する。
【００５４】
また、制御部２１は、初期準備動作を行った後、ユーザによるリモコン１９の操作を受けて、光ディスク２のユーザ記録領域に記録されているユーザ記録情報を読取る。このとき、制御部２１は、初期準備動作において読取った管理情報に基いて、ユーザ記録情報を読取る。光ディスク２から読取ったユーザ記録情報による映像及び音声は、外部装置９０のディスプレイ９１及びスピーカ９２によって出力される。
【００５５】
また、制御部２１は、初期準備動作及び初期準備動作を行った後のユーザによるリモコン１９の操作を受けての動作において光ディスク２に記録されている情報を読取るとき、光ディスク２に記録されている情報を読取るときの調整値を調整したうえで、光ディスク２に記録されている情報を読取る。すなわち、制御部２１は、光ディスク２のどの領域の情報を読取るかに応じて、対物レンズ３５の傾き、収差調整用レンズ３４の位置、フォーカシングサーボ及びトラッキングサーボを行うためのサーボループ系のゲイン等を、メモリ１７に記憶している調整値（初期準備動作において決定した調整値）となるように調整したうえで（又は、初期設定されている調整値となるように調整したうえで）、光ディスク２に記録されている情報を読取る。
【００５６】
図２は、光ディスク処理装置１の初期準備動作のフローチャートを示す。初期準備動作において、制御部２１は、まず、第１の内周物理調整値決定動作を実行する（＃１）。すなわち、制御部２１は、スピンドルモータ１２に光ディスク２が装着されたことを検出すると、光ディスク２を回転させると共に、光ピックアップユニット１３により光ディスク２に光を照射させ、そして、光ピックアップユニット１３による光ディスク２への光の照射位置が内周制御情報記録領域になるように光ピックアップユニット１３を移動させて、第１の内周物理調整値決定動作を実行する。
【００５７】
続いて、制御部２１は、内周制御情報読取動作を実行する（＃２）。すなわち、制御部２１は、第１の内周物理調整値決定動作を完了した後、光ピックアップユニット１３による光ディスク２への光の照射位置が内周制御情報記録領域になっている状態で、内周制御情報読取動作を実行する。
【００５８】
続いて、制御部２１は、外周制御情報読取動作を実行する（＃３）。すなわち、制御部２１は、内周制御情報読取動作を完了した後、光ピックアップユニット１３による光ディスク２への光の照射位置が外周制御情報記録領域になるように光ピックアップユニット１３を移動させて、外周制御情報読取動作を実行する。
【００５９】
続いて、制御部２１は、外周物理調整値決定動作を実行する（＃４）。すなわち、制御部２１は、外周制御情報読取動作を完了した後、光ピックアップユニット１３による光ディスク２への光の照射位置が外周制御情報記録領域になっている状態で、外周物理調整値決定動作を実行する。
【００６０】
続いて、制御部２１は、第２の内周物理調整値決定動作を実行する（＃５）。すなわち、制御部２１は、外周物理調整値決定動作を完了した後、光ピックアップユニット１３による光ディスク２への光の照射位置が内周制御情報記録領域になるように光ピックアップユニット１３を移動させて、第２の内周物理調整値決定動作を実行する。
【００６１】
続いて、制御部２１は、第３の内周物理調整値決定動作を実行する（＃６）。すなわち、制御部２１は、第２の内周物理調整値決定動作を完了した後、光ピックアップユニット１３による光ディスク２への光の照射位置が内周制御情報記録領域になっている状態で、第３の内周物理調整値決定動作を実行する。そして、制御部２１は、第３の内周物理調整値決定動作を完了すると、初期準備動作を終了する。
【００６２】
このように、制御部２１は、初期準備動作において、第１の内周物理調整値決定動作、内周制御情報読取動作、外周制御情報読取動作、外周物理調整値決定動作、第２の内周物理調整値決定動作、第３の内周物理調整値決定動作の順に実行する。
【００６３】
このような構成の光ディスク処理装置１によれば、初期準備動作において、外周制御情報読取動作に続いて外周物理調整値決定動作を実行し、第２の内周物理調整値決定動作に続いて第３の内周物理調整値決定動作を実行するため、従来のＢＤ−ＲＥを扱う光ディスク処理装置と比較して、初期準備動作における光ピックアップユニット１３の移動回数を少なくすることができる。これにより、初期準備動作に要する時間を短縮することができる。
【００６４】
なお、本発明は、上記実施形態の構成に限られず、種々の変形が可能である。例えば、本発明の光ディスク処理装置は、ディスプレイ及びスピーカを一体的に備えていてもよい。また、外部機器から入力される情報を光ディスクに記録するようになっていてもよい。また、本発明は、光ディスクとしてＢＤ−ＲＥを扱う装置に限られず、内周側と外周側に制御情報記録領域が存在し、内周側の制御情報記録領域と外周側の制御情報記録領域の間にユーザ記録領域が存在する光ディスクを扱う装置に適用可能である。
【符号の説明】
【００６５】
１    光ディスク処理装置
２    光ディスク
１１    ディスクセンサ
１２    スピンドルモータ
１３    光ピックアップユニット
１４    シークモータ
１５    信号処理部
１６    信号特性値測定部
１７    メモリ
１８    チューナ
１９    リモコン
２０    リモコン受信部
２１    制御部
３１    発光素子
３２    投光レンズ
３３    ビームスプリッタ
３４    収差調整用レンズ
３５    対物レンズ
３６    受光レンズ
３７    受光素子
４１    フォーカシングアクチュエータ
４２    トラッキングアクチュエータ
４３    レンズ傾きアクチュエータ
４４    レンズ位置アクチュエータ
９０    外部装置
９１    ディスプレイ
９２    スピーカ
【図１】
2012243366.tif 000003
【図２】
2012243366.tif 000004
【図３】
2012243366.tif 000005